(57)【特許請求の範囲】
【請求項１】
椅子の座部もしくは背もたれ部をブロー成形するに当り、
一対の金型のいずれか一方に、保護板と、それに接合した機能性部材とを収納保持した状態で成形を行って、前記保護板の少なくとも周辺部分を、座部もしくは背もたれ部の表面側に融着させて、前記機能性部材を保護板の内側に密封することを特徴とするブロー成形方法。
【請求項２】
前記機能性部材を発熱体としてなる請求項１記載のブロー成形方法。
【請求項３】
前記機能性部部材を、相互に接合した、発熱体、それのコントローラおよび、コントローラと対応して位置する断熱層にて構成してなる請求項１記載のブロー成形方法。
【発明の詳細な説明】
【０００１】
【発明の属する技術分野】
この発明は、椅子の座部もしくは背もたれ部に、発熱体とすることができる機能性部材を、すぐれた水密性の下で簡単かつ確実に一体化することができるブロー成形方法に関するものである。
【０００２】
【従来の技術】
劇場、ホール、スポーツ施設その他の大きな空間部の空気調節、とくには暖房を行うに当って、床や壁面などから温風を吹き出させる場合の暖房効率の低さを解消してなお、それらの施設の観客席等に設置される椅子およびその周辺部分を暖房する従来技術として、たとえば、特開平６−２００６４５号公報および特開平８−２０５９６３号公報に開示された空調構造がある。
【０００３】
ここで、前者の空調構造は、階段状をなす観客席の断面部と蹴上げ部とで囲まれた水平に延びる中空部を空調ダクトとし、この空調ダクトを、断面部の前方側の椅子のシートバック中空部に接続するとともに、そのシートバックの上部に、後方の座席の人に向けて空調エアを送気する吹き出し口を設けたものであり、また、後者の空調構造は、内部が中空の座席部分に、温風取り入れ口と温風吹き出し口とを設けて、温風取り入れ口から入った温風を、座席部分の内部に通して、温風吹き出し口から座席部分の下方へ吹き出すものである。
【０００４】
【発明が解決しようとする課題】
しかるに、かかる従来技術にあっては、観客席の全体にわたる空調ダクト等の配設が必要になるとともに、その空調ダクト等と椅子とを十分気密に接続することが必要になるため、設備コストおよび作業工数がともに嵩むことにより、また、多量の温風の発生装置の他、大容量の送風装置が不可欠であることから，設備コストの一層の増加に加えて、ランニングコストもまた嵩むことになり、さらには、一旦発生させた温風をもって椅子を二次的に加熱することから熱効率が低いという問題があった。
しかも、このような従来技術を屋外施設の観客席等に設置される椅子に適用する場合には、温風吹き出し口からの雨水等の浸入が不可避となる他、空調ダクト等に対する十分な断熱処理が必須となるという他の問題もあった。
【０００５】
そこで、設備コスト、ランニングコストその他の低減等を目的として、椅子に埋め込んだ発熱体をもって椅子を直接的に加熱することが提案されているも、これによれば、発熱体を椅子に配設するための作業工数が別途必要なることに加え、その椅子を屋外施設に設置した場合の、雨、雪、霜等に対する十分な水密性を確保することが甚だ困難であるという問題があった。
【０００６】
この発明は、これらの問題点をことごとく解決することを課題として検討した結果なされたものであり、それの目的とするところは、とくに暖房のための大がかりな設備、配管等を不要ならしめるとともに、ランニングコストを大きく低減させることができ、しかも、屋外に適用して十分な水密性を発揮することができる加熱用の椅子のための、簡単にして確実なブロー成形方法を提供するにある。
【０００７】
【課題を解決するための手段】
この発明のブロー成形方法は、椅子の座部もくしは背もたれ部をブロー成形するに際して、一対の金型のいずれか一方に、合成樹脂材料からなる保護板と、それに接合した機能性部材とを収納保持した状態で成形を行って、前記保護板の少なくとも周辺部分を、座部もしくは背もたれ部の表面側に融着させて、前記機能性部材を保護板の内側に密封するにある。
【０００８】
このブロー成形方法では、保護板と、それに接合した、発熱体とすることができる機能性部材とを一方の金型内に収納するとともに、たとえば負圧吸引によってそこに保持した状態で、一般的な射出ブロー成形、押出ブロー成形等を行うだけで、発熱体を椅子に埋設するための特別の作業工数なしに、その発熱体を、保護板の内側に、簡単にかつ確実に密封することができ、その発熱体から導出したリード線を電源に接続するだけで椅子の座部もしくは背たれ部を適宜に加熱することができるので、大がかりな設備はもちろん、観客席の全体にわたる配管、それの敷設、接続等の作業を不要ならしめて、高い熱効率、低いランニングコストの下で、椅子を効果的に温めることができる。
【０００９】
しかもこの方法では、保護板の少なくとも周辺部分が、座部もしくは背たれ部の表面側に、確実にかつ強固に融着されてすぐれた水密性を発揮することから、椅子を屋外に設置する場合であっても、発熱体を、雨、雪、霜等に対して十分に保護することができる。
【００１０】
またここにおいて、機能性部材は、上述したような発熱体それ自体とすることの他、相互に接続した、発熱体、それのコントローラおよび、コントローラと対応して位置する断熱層とすることもでき、これによれば、型締め後の成形に際して、高温の成形材がコントローラに直接的もしくは間接的に接触することに起因する、そのコントローラの損傷を、断熱層の断熱機能をもって有効に防止することができる。
【００１１】
【発明の実施の形態】
以下にこの発明の実施の形態を図面に示すところに基づいて説明する。
図１は、この発明の一の実施形態を、ブロー成形品としての椅子の部座の表面側に、機能性部材としての発熱体を密封装着する場合について示す要部略線斜視図である。
図中１は押出ダイを、２はその押出ダイ１にて押出形成される内筒状のパリソンをそれぞれ示し、３ａ，３ｂは、押出ダイ１の下方に配設されて、所要の成形キャビティを画成する一対の金型を示す。
【００１２】
ここでは、金型３ａ，３ｂのさらに下方部分で、円筒状パリソン２の直下位置に、ガイドプレート４に設けたそれぞれの長孔４ａ，４ｂに案内されて相互に接近および離隔する方向に相対変位可能は一対のエクステンションピン５ａ，５ｂを配設し、それらの両エクステンションピン５ａ，５ｂの近接限位置にては、それらのピン５ａ，５ｂへの外接円直径を円筒状パリソン２の内径より小さくする一方、それらの両ピン５ａ，５ｂの離隔限位置にては、両ピン５ａ，５ｂへの外接円直径を、パリソン２の内径よりはるかに大ならしめる。
また図中６ａ，６ｂは、ガイドプレート４の幾分上方側に、エクステンションピン５ａ，５ｂを隔てて配設した一対のピンチプレートを示す。
【００１３】
このよう構成を具える装置によって座部をブロー成形するに当っては、成形の開始に先だって、対をなす金型３ａ，３ｂのいずれか一方、通常は、座部の表面側の成形に寄与する金型３ａの成形窪み７内に、相互に接合した、合成樹脂製の保護板８と発熱体９とを収納するとともに、その接合体を、成形表面の所定位置に、たとえば負圧吸引によって位置決め保持する。
【００１４】
ここでこの接合体は、図２に底面斜視図で例示するように、ブロー成形、射出成形、真空成形などによって予め方形皿状に形成した保護板８の中央部分に、所要の平面形状および寸法を有する発熱体９、たとえばヒータパネルを、接着剤等を用いて予め接合してなり、かかる接合体は、金型３ａの成形表面上に、その底面側を内側に向けた姿勢で吸着保持される。
【００１５】
このような準備の後は、押出ダイ１によって円筒状パリソン２を押出形成して、その下端を次第に下降変位させることによって、相互の近接姿勢とした一対のエクステンションピン５ａ，５ｂを円筒状パリソン２にて囲繞し、そのパリソン２がガイドプレート４に十分接近した時点で、それの押出形成を一時停止する。
【００１６】
次いで、両エクステンションピン５ａ，５ｂを、それぞれの長孔４ａ，４ｂに沿わせて相互に離隔変位させ、これによって、円筒状のパリソン２を、図３に示すような、所要の扁平筒状形状に拡幅変形させ、続いて、一対のピンチプレート６ａ，６ｂを進出変位させて、拡幅パリソン２ａを挟み込んで、その拡幅パリソン２ａの下端部内面で、表面側部分と裏面側部分とを相互に融着させる。ここで、両ピンチプレート６ａ，６ｂは、それぞれのエクステンションピン５ａ，５ｂと対応する位置のそれぞれに切欠部を有しているので、それらのピン５ａ，５ｂと対応する位置以外では、拡幅パリソン２ａの表面側および裏面側のそれぞれの部分は、相互に直接的に融着させることになる。
【００１７】
さらには、拡幅パリソン２ａ内へ、それの適宜位置から若干のエアを吹き込むことによって、そのパリソン２ａにプリブローを施して、図４に示すように、パリソン２ａの全体にわたる均等な伸長変形をもたらし、しかる後は、一対の金型３ａ，３ｂを型締めするとともに、金型３ａ，３ｂ間に挟まれたパリソン部分内へ、これも適宜位置からエアを吹込んで、そのパリソン部分を金型内面、より正確には、金型内面および、保護板８と発熱体９との接合体内面のそれぞれに密着させることで、それらの内面に正確に倣った形状に成形を施すとともに、前記接合体の保護板８の、少なくとも周辺部分を、座部の表面側に相当する部分に熱融着させ、そこで、その成形部分を冷却して硬化させることで、椅子の座部についての一連のブロー成形作業を終了する。
【００１８】
なおこのような型締めおよび成形工程を行うに当り、それぞれのエクステンションピン５ａ，５ｂは、事後的に成形品から抜取って再使用に供することが必要であるので、それらのエクステンションピン５ａ，５ｂを最も離隔させた状態の下での、金型３ａ，３ｂの型締めに際しては、両ピン５ａ，５ｂをともに金型３ａ，３ｂの幅方向外側に位置させるものとする。
【００１９】
ところで、以上のようにして座部のブロー成形を終了した後は、金型３ａ，３ｂの型開き、それぞれのエクステンションピン５ａ，５ｂの、成形座部からの抜取りのそれぞれを所要の順序にて行うことで、成形製品としての座部の取出しを行う。
【００２０】
図５は、このようにしてブロー成形した座部１１を示す縦断面図であり、この座部１１では、ブロー成形の終了と同時に、その表面側部分の中央部に、皿状の保護板８がその周辺部分にて十分緊密にかつ強固に融着され、その保護板８によって発熱体９が密封されることになるので、発熱体を座部に事後的に配設するための作業工数を全く不要ならしめることができ、また、保護板８の融着部をもってすぐれた水密性を確保することができる。
【００２１】
ところで、保護板８に接合する機能性部材を、図６に底面側からの分解斜視図で示すように、発熱体９および、それに順次に積層されるコントローラ２１、そのコントローラ２１と対応して位置する断熱層２２にて構成することもでき、これによれば、保護板８の熱融着に際するコントローラ２１の過加熱を断熱層２２によって十分に防止して、そのコントローラ２１を常に適正に機能させることができる。従って、この場合には、椅子の外部に、発熱体９のコントローラ２１を別途配設するための作業工数をも不要ならしめることができる。
【００２２】
なおここで、コントローラは、保護板８と発熱体９との間に配設することも可能であり、この場合には、コントローラ２１をそれの加熱源から遠ざけることはできるも、発熱体９の全面にわたる、保護板８への緊密なる接合が、そのントローラ２１によって妨げられることになるので、発熱体９から保護板８への熱伝達効率の低下が余儀なくされることになる。
【００２３】
【発明の効果】
かくして、この発明によれば、成形金型内に、保護板と機能性部材との接合体を予め収納保持することで、その機能性部材を高い水密性をもって封入した、椅子の座部もしくは背もたれ部をすぐれた信頼性の下で簡単に製造することができる。
【図面の簡単な説明】
【図１】この発明の一の実施形態を示す要部略線斜視図である。
【図２】保護板と機能性部材との接合状態を例示する底面斜視図である。
【図３】円筒状パリソンの拡幅変形状態を示す要部斜視図である。
【図４】プリブロー状態を示す要部斜視図である。
【図５】ブロー成形品としての座部を示す縦断面図である。
【図６】機能性部材の他の形態を示す底面側からの分解斜視図である。
【符号の説明】
１  押出ダイ
２  円筒状パリソン
２ａ  拡幅パリソン
３ａ，３ｂ  金型
４  ガイドプレート
４ａ，４ｂ  長孔
５ａ，５ｂ  エクステンションピン
６ａ，６ｂ  ピンチプレート
７  成形窪み
８  保護板
９  発熱体
１１  座部
２１  コントローラ
２２  断熱層
【図１】
0003597653.tif 000002
【図２】
0003597653.tif 000003
【図３】
0003597653.tif 000004
【図４】
0003597653.tif 000005
【図５】
0003597653.tif 000006
【図６】
0003597653.tif 000007